(57)【要約】【課題】  安価な構造でディスク回転時に不快な振動音を発生させないようにする。【解決手段】  光ピックアップとターンテーブルとを内部に配置した合成樹脂製ローダーシャーシ２に天板２４が一体形成され、該天板２４がクランパ収納部１４付き横桁対応部分２４Ａと遮蔽板対応部分２４Ｂとを有し、天板２４の裏面に基端部２６ａを一体突設し先端部２６ｂを互いに接近するようにしてクランパ収納部１４のクランパ挿通口２５に向けて略ハ字状に延ばした一対の略Ｌ字状弾性ストッパ２６が設けられており、該両弾性ストッパ２６の先端部２６ｂを押し分けてクランパ挿通口２５からクランパ収納部１４内に収納したクランパ１３が該クランパ挿通口２５から外部に抜け出るのを両弾性ストッパ２６で阻止する。【選択図】        図３
2007234179.tif 000002
【特許請求の範囲】
【請求項１】
合成樹脂製ローダーシャーシ内に光ピックアップとターンテーブルとが配置され、前記
ターンテーブルに対向してローダーシャーシの両側板間に横桁が架設され、該横桁の中央
にクランパを一定範囲内昇降可能に収納するクランパ収納部が一体形成され、その横桁に
隣接して前記光ピックアップに対向する遮蔽板がローダーシャーシの両側板間に架設され
ており、前記クランパとターンテーブルとでディスクをクランプし、ターンテーブルによ
りディスクを高速回転させると共に、そのディスクに光ピックアップからレーザ光を投射
し、その反射光に基づいてディスクに記録されている情報を読み取るようにしたディスク
装置において、前記横桁及び遮蔽板が１枚の天板により形成されると共に、該天板がロー
ダーシャーシに一体形成され、前記クランパ収納部が前記天板の裏面に一体突設した円筒
体を有し、該円筒体の両端開口部にクランパ抜止め片が一体突設され、その円筒体の外周
面にクランパを挿通するためのクランパ挿通口が開設され、天板の裏面に基端部を一体突
設し先端部を互いに接近するようにしてクランパ挿通口に向けて略ハ字状に延ばした一対
の略Ｌ字状弾性ストッパが設けられており、該両弾性ストッパの先端部を押し分けてクラ
ンパ挿通口からクランパ収納部内に収納したクランパが該クランパ挿通口から外部に抜け
出るのを両弾性ストッパで阻止するようにしたことを特徴とするディスク装置。
【請求項２】
合成樹脂製ローダーシャーシ内に光ピックアップとターンテーブルとが配置され、前記
ターンテーブルに対向してローダーシャーシの両側板間に横桁が架設され、該横桁の中央
にクランパを一定範囲内昇降可能に収納するクランパ収納部が一体形成され、その横桁に
隣接して前記光ピックアップに対向する遮蔽板がローダーシャーシの両側板間に架設され
ており、前記クランパとターンテーブルとでディスクをクランプし、ターンテーブルによ
りディスクを高速回転させると共に、そのディスクに光ピックアップからレーザ光を投射
し、その反射光に基づいてディスクに記録されている情報を読み取るようにしたディスク
装置において、前記横桁及び遮蔽板が１枚の天板により形成されると共に、該天板がロー
ダーシャーシに一体形成されていることを特徴とするディスク装置。
【請求項３】
前記クランパ収納部が前記天板の裏面に一体突設した円筒体を有し、該円筒体の両端開
口部にクランパ抜止め片が一体突設され、その円筒体の外周面にクランパを挿通するため
のクランパ挿通口が開設されていることを特徴とする請求項２に記載のディスク装置。
【請求項４】
前記天板の裏面に基端部を一体突設し先端部を互いに接近するようにしてクランパ挿通
口に向けて略ハ字状に延ばした一対の略Ｌ字状弾性ストッパが設けられており、該両弾性
ストッパの先端部を押し分けてクランパ挿通口からクランパ収納部内に収納したクランパ
が該クランパ挿通口から外部に抜け出るのを両弾性ストッパで阻止するようにしたことを
特徴とする請求項３に記載のディスク装置。
【発明の詳細な説明】
【技術分野】
【０００１】
本発明は、ディスク装置（例えばＤＶＤレコーダやＤＶＤプレーヤなど）に関し、特に
、安価な構造でディスク回転時に不快な振動音が生じないようにしたものである。
【背景技術】
【０００２】
従来、ディスク装置の一例として特許文献１などの記載したものがあり、その一例を図
６〜図８に基づいて説明すると、ディスクＤ載置用トレイ１を前後進ａ，ｂ可能に支持す
る合成樹脂製ローダーシャーシ２内に枢支軸３を中心に上下動ｃ，ｄ可能なトラバースシ
ャーシ４が配置され、該トラバースシャーシ４上にガイドレール５を介して対物レンズＯ
Ｌ付き光ピックアップ６が移動可能に配置されると共に、そのトラバースシャーシ４上の
前部にターンテーブル７付きスピンドルモータ８が配置され、ローダーシャーシ２の前部
にカムスライダ９が前後進ａ，ｂ方向とは直交する左右方向ｅ，ｆに移動可能に配置され
ると共に、該カムスライダ９のカム溝１０にトラバースシャーシ４の前面に突設したカム
ピン１１が嵌入され、ローダーシャーシ２の両側板２ａ間に横桁１２が架設され、該横桁
１２の中央にクランパ１３を収納するクランパ収納部１４が一体形成され、該クランパ収
納部１４が円筒体１４ａを有し、該円筒体１４ａの下端開口部にクランパ抜止め片１４ｂ
が一体突設されている。
【０００３】
前記光ピックアップ６に対向する遮蔽板１６が横桁１２に隣接して配置され、該遮蔽板
１６の両側縁に複数（この例では４本）の脚部１６ａが垂設されると共に、該各脚部１６
ａの先端にフック１６ｂが一体突設され、該各フック１６ｂに対向してローダーシャーシ
２の両側板２ａの外側面に突条部１７が一体突設され、前記ローダーシャーシ２の各側板
２ａの上面に一体突設したテーパ状突起部１８に対向して遮蔽板１６の両側縁に嵌合孔１
９が貫設されており、各フック１６ｂを突条部１７に係合させると共に、各嵌合孔１９を
各突起部１８に嵌合させることにより、遮蔽板１６がローダーシャーシ２の両側板２ａ間
に架設されている。
【０００４】
前記遮蔽板１６の前端縁中央に一体突設したクランパ抜け止め片２０が円筒体１４ａの
外周面に貫設した貫通孔２１を通って該円筒体１４ａの上端開口部に突出されており、上
下両クランパ抜け止め片２０，１４ｂ間にクランパ１３が一定範囲内昇降可能に配置され
ている。また、クランパ１３の下面に磁石２２が止着され、該磁石２２に対向してターン
テーブル７の中央突起部に磁性体（図示せず）が配置されており、その磁性体と磁石２２
との間に作用する磁力によりクランパ１３とターンテーブル７とでディスクＤをクランプ
する。
【０００５】
情報読取手順を説明すると、図７に実線で示すプレイモードでは、ディスクＤをクラン
パ１３とターンテーブル７とでクランプしており、スピンドルモータ８によりターンテー
ブル７を介してディスクＤを高速回転させ、光ピックアップ６を駆動することにより、対
物レンズＯＬからレーザ光をディスクＤに投射し、その反射光を対物レンズＯＬを通して
受光し、ディスクＤに記録されている映像情報の再生や録画または消去を行う。
【０００６】
また、遮蔽板１６により対物レンズＯＬから投射されるレーザ光が外部に漏れるのを遮
断する。
【０００７】
アンローディング動作及びローディング動作を説明すると、図７に実線で示すプレイモ
ードでアンローディング信号が入力されると、スピンドルモータ８の駆動を停止させ、光
ピックアップ６を最前進ａさせ、カムスライダ９を左方向ｅ（または右方向ｆ）にスライ
ドさせることにより、カム溝１０及びカムピン１１を介してトラバースシャーシ４を枢支
軸３回りで下動ｃさせ（図２仮想線参照）、これにより、ディスクＤをトレイ１上に載置
し、該トレイ１を前進ａさせ（図２仮想線参照）、そのトレイ１上のディスクＤを取り外
したり新しいディスクＤを載置した後、ローディング信号に基づいて上記とは逆野手順で
プレイモードに戻す。
【特許文献１】特開２００５−３３２５３６号公報
【発明の開示】
【発明が解決しようとする課題】
【０００８】
上記従来の構成では、遮蔽板１６及びクランパ抜け止め片２０がローダーシャーシ２と
は別個に形成されているため、部品点数が増加してコストアップになっている。また、遮
蔽板１６とローダーシャーシ２との間にわずかな隙間があるため、プレイモードでスピン
ドルモータ８を高速駆動することにより生じた回転力がローダーシャーシ２を介して遮蔽
板１６に伝わり、その遮蔽板１６が微妙に振動して振動音を発生させ、ユーザに不快感を
与えていた。
【０００９】
本発明は、上記従来の欠点に鑑み、安価な構造でディスク回転時に不快な振動音を発生
させないようにしたディスク装置を提供することを目的としている。
【課題を解決するための手段】
【００１０】
上記目的を達成するため、請求項１に記載の発明は、合成樹脂製ローダーシャーシ内に
光ピックアップとターンテーブルとが配置され、前記ターンテーブルに対向してローダー
シャーシの両側板間に横桁が架設され、該横桁の中央にクランパを一定範囲内昇降可能に
収納するクランパ収納部が一体形成され、その横桁に隣接して前記光ピックアップに対向
する遮蔽板がローダーシャーシの両側板間に架設されており、前記クランパとターンテー
ブルとでディスクをクランプし、ターンテーブルによりディスクを高速回転させると共に
、そのディスクに光ピックアップからレーザ光を投射し、その反射光に基づいてディスク
に記録されている情報を読み取るようにしたディスク装置において、前記横桁及び遮蔽板
が１枚の天板により形成されると共に、該天板がローダーシャーシに一体形成され、前記
クランパ収納部が前記天板の裏面に一体突設した円筒体を有し、該円筒体の両端開口部に
クランパ抜止め片が一体突設され、その円筒体の外周面にクランパを挿通するためのクラ
ンパ挿通口が開設され、天板の裏面に基端部を一体突設し先端部を互いに接近するように
してクランパ挿通口に向けて略ハ字状に延ばした一対の略Ｌ字状弾性ストッパが設けられ
ており、該両弾性ストッパの先端部を押し分けてクランパ挿通口からクランパ収納部内に
収納したクランパが該クランパ挿通口から外部に抜け出るのを両弾性ストッパで阻止する
ようにしたことを特徴としている。
【００１１】
請求項２に記載の発明は、合成樹脂製ローダーシャーシ内に光ピックアップとターンテ
ーブルとが配置され、前記ターンテーブルに対向してローダーシャーシの両側板間に横桁
が架設され、該横桁の中央にクランパを一定範囲内昇降可能に収納するクランパ収納部が
一体形成され、その横桁に隣接して前記光ピックアップに対向する遮蔽板がローダーシャ
ーシの両側板間に架設されており、前記クランパとターンテーブルとでディスクをクラン
プし、ターンテーブルによりディスクを高速回転させると共に、そのディスクに光ピック
アップからレーザ光を投射し、その反射光に基づいてディスクに記録されている情報を読
み取るようにしたディスク装置において、前記横桁及び遮蔽板が１枚の天板により形成さ
れると共に、該天板がローダーシャーシに一体形成されていることを特徴としている。
【００１２】
請求項３に記載の発明は、請求項２に記載の発明において、前記クランパ収納部が前記
天板の裏面に一体突設した円筒体を有し、該円筒体の両端開口部にクランパ抜止め片が一
体突設され、その円筒体の外周面にクランパを挿通するためのクランパ挿通口が開設され
ていることを特徴としている。
【００１３】
請求項４に記載の発明は、請求項３に記載の発明において、前記天板の裏面に基端部を
一体突設し先端部を互いに接近するようにしてクランパ挿通口に向けて略ハ字状に延ばし
た一対の略Ｌ字状弾性ストッパが設けられており、該両弾性ストッパの先端部を押し分け
てクランパ挿通口からクランパ収納部内に収納したクランパが該クランパ挿通口から外部
に抜け出るのを両弾性ストッパで阻止するようにしたことを特徴としている。
【発明の効果】
【００１４】
請求項１に記載の発明は実施の一形態（図１〜図５参照）に対応するものであって、こ
れによれば、横桁及び遮蔽板が１枚の天板により形成されると共に、該天板がローダーシ
ャーシに一体形成されており、従来のように遮蔽板をローダーシャーシとは別個に製作す
る場合に比べて、部品点数を削減してコストダウンを図ることができる。
【００１５】
また、プレイモードでディスクを高速回転することにより生じた回転力がローダーシャ
ーシを介して天板の遮蔽板対応部分に伝わっても、該遮蔽板対応部分がローダーシャーシ
に一体形成されているので、その遮蔽板対応部分が従来のように振動して騒音を発生させ
ることがなく、ユーザに不快感を与えず、商品価値が高い。
【００１６】
更に、クランパ収納部を形成する円筒体及び上下一対のクランパ抜け止め片が天板に一
体形成されており、部品点数が増加していないので、経済性に優れている。
【００１７】
しかも、クランパ挿通口からクランパ収納部内に収納したクランパが該クランパ挿通口
から外部に抜け出るのを両弾性ストッパで阻止するようになっており、その両弾性ストッ
パが天板に一体形成されて部品点数が増加していないので、この点でも経済性に優れてい
る。
【００１８】
請求項２に記載の発明は基本形態に対応するものであって、これによれば、横桁及び遮
蔽板が１枚の天板により形成されると共に、該天板がローダーシャーシに一体形成されて
おり、従来のように遮蔽板をローダーシャーシとは別個に製作する場合に比べて、部品点
数を削減してコストダウンを図ることができる。
【００１９】
また、プレイモードでディスクを高速回転することにより生じた回転力がローダーシャ
ーシを介して天板の遮蔽板対応部分に伝わっても、該遮蔽板対応部分がローダーシャーシ
に一体形成されているので、その遮蔽板対応部分が従来のように振動して騒音を発生させ
ることがなく、ユーザに不快感を与えず、商品価値が高い。
【００２０】
請求項３に記載の発明によれば、クランパ収納部を形成する円筒体及び上下一対のクラ
ンパ抜け止め片が天板に一体形成されており、部品点数が増加していないので、経済性に
優れている。
【００２１】
請求項４に記載の発明によれば、クランパ挿通口からクランパ収納部内に収納したクラ
ンパが該クランパ挿通口から外部に抜け出るのを両弾性ストッパで阻止するようになって
おり、その両弾性ストッパが天板に一体形成されて部品点数が増加していないので、この
点でも経済性に優れている。
【発明を実施するための最良の形態】
【００２２】
図１〜図５は本発明の実施の一形態であるディスク装置を示すものであって、従来の横
桁１２及び遮蔽板１６が１枚の天板２４により形成され、該天板２４の横桁対応部分２４
Ａの両端部２４ａがローダーシャーシ２の両側板２ａに一体形成されると共に、その天板
２４の遮蔽板対応部分２４Ｂの両側縁及び後端縁から側方に延びる複数（この形態では３
つ）のアーム部２４ｂがローダーシャーシ２の両側板２ａ及び後部２ｂに一体形成されて
いる。上記以外の構成は図６〜図８に示す構成とほぼ同じであるから、同一部分に同一符
号を付してその説明を省略する。
【００２３】
上記構成によれば、天板２４がローダーシャーシ２に一体形成されており、従来のよう
に遮蔽板１６をローダーシャーシ２とは別個に製作する場合（図６〜図８参照）に比べて
、部品点数を削減してコストダウンを図ることができる。
【００２４】
また、プレイモードでスピンドルモータ８を駆動してディスクＤを高速回転することに
より生じた回転力がローダーシャーシ２を介して天板２４の遮蔽板対応部分２４Ｂに伝わ
っても、該遮蔽板対応部分２４Ｂがローダーシャーシ２に一体形成されているので、その
遮蔽板対応部分２４Ｂが従来のように振動して騒音を発生させることがなく、ユーザに不
快感を与えず、商品価値が高い。
【００２５】
図４及び図５に示すように、クランパ収納部１４が天板２４の裏面に一体突設した円筒
体１４ａを有し、該円筒体１４ａの両端開口部にクランパ抜止め片１４ｂ，１４ｃが一体
突設され、その円筒体１４ａの外周面後部にクランパ１３を挿通するためのクランパ挿通
口２５が開設され、天板２４の裏面に基端部２６ａを一体突設し先端部２６ｂを互いに接
近するようにしてクランパ挿通口２５に向けて略ハ字状に延ばした一対の略Ｌ字状弾性ス
トッパ２６が設けられている。
【００２６】
クランパ１３の挿入手順を説明すると、図４及び図５に示すように、ローダーシャーシ
２を引っ繰り返して天板２４の裏面を上向きにした状態で、クランパ１３を遮蔽板対応部
分２４Ｂ上からクランパ挿通口２５に向けて押し出す。これにより、クランパ１３が両弾
性ストッパ２６の先端部２６ｂを左右に押し分けてクランパ挿通口２５からクランパ収納
部１４内に収納される。
【００２７】
上記構成によれば、クランパ収納部１４を形成する円筒体１４ａ及び上下一対のクラン
パ抜止め片１４ｂ，１４ｃが天板２４にに一体形成されており、部品点数が増加していな
いので、経済性に優れている。
【００２８】
また、クランパ収納部１４内に収納したクランパ１３がクランパ挿通口２５から外部に
抜け出るのを両弾性ストッパ２６で阻止するようになっており、その両弾性ストッパ２６
も天板２４に一体形成されて部品点数が増加していないので、この点でも経済性に優れて
いる。
【図面の簡単な説明】
【００２９】
【図１】本発明の実施の一形態であるディスク装置を示す平面図である。
【図２】同縦断面図である。
【図３】同斜視図である。
【図４】同天板の裏向き状態の斜視図である。
【図５】（ａ）は同状態の平面図、（ｂ）は同状態の縦断面図である。
【図６】従来例を示す平面図である。
【図７】同縦断面図である。
【図８】同斜視図である。
【符号の説明】
【００３０】
１              トレイ
２              ローダーシャーシ
２ａ            ローダーシャーシの側板
６              光ピックアップ
７              ターンテーブル
１２            横桁
１３            クランパ
１４            クランパ収納部
１４ａ          クランパ収納部の円筒体
１４ｂ，１４ｃ  クランパ抜止め片
１６            遮蔽板
２４            天板
２４Ａ          天板の横桁対応部分
２４Ｂ          天板の遮蔽板対応部分
２５            クランパ挿通口
２６            弾性ストッパ
２６ａ          弾性ストッパの基端部
２６ｂ          弾性ストッパの先端部
Ｄ              ディスク
ＯＬ            対物レンズ
【図１】
2007234179.tif 000003
【図２】
2007234179.tif 000004
【図３】
2007234179.tif 000005
【図４】
2007234179.tif 000006
【図５】
2007234179.tif 000007
【図６】
2007234179.tif 000008
【図７】
2007234179.tif 000009
【図８】
2007234179.tif 000010